(57)【要約】【目的】スキージ角度を一定に保持した手動による印刷を容易に行えるスクリーン印刷装置を提供する。【構成】スクリーン印刷枠２の近傍に設置したガイド軸４，４間にガイドレバー２９を往復移動可能に設け、スキージ７を有する可動レバー８をこの移動体５に設けてばね９で待機位置に付勢し、可動レバー８の係止爪１１が移動体５の係止孔１２に係止すればスキージ７が所定角度のスキージング位置に設定される。係止爪１１はスキージングの終点において固定ストッパ１８に接触して解除される。スキージ７をロックすれば所定のスキージ角度による均一なスキージングができる。スキージング終了と同時にスキージロックが解除され、スキージング終了後直ちにスキージをスキージング開始位置に戻せる。【選択図】  図１
2006069011.tif 000002
【特許請求の範囲】
【請求項１】
開口部にスクリーンが張設された印刷枠に取り付けられ、前記スクリーン上のインクをスキージングして前記スクリーンの下方に配置された被印刷体にスクリーン印刷を行うスクリーン印刷装置において、
前記印刷枠の枠辺に沿って配置されたガイド軸と、
前記ガイド軸に沿って前記スクリーンの上方をスキージング方向に往復移動可能とされた移動体と、
その下端縁が前記スキージング方向と実質的に直交するように前記スクリーンの表面に接するスキージング位置と、その下端縁が前記スクリーンの表面から離れる待機位置との間で揺動可能となるように、前記ガイド軸と実質的に直交する支持軸を介して前記移動体に取り付けられ、前記スキージング位置に解除自在に固定可能なスキージと、
を有するスクリーン印刷装置。
【請求項２】
前記スキージは、前記支持軸を介して前記移動体に揺動可能に取り付けられた可動レバーに取り付けられており、該可動レバーは前記移動体との間に設けられた付勢手段によって前記スキージが前記待機位置に設定される方向に付勢されるとともに、該可動レバーは前記スキージが前記スキージング位置に設定された状態で前記移動体に係止手段で解除可能に固定されることを特徴とする請求項１記載のスクリーン印刷装置。
【請求項３】
前記係止手段は、
前記可動レバーに回動可能に取り付けられて前記スキージング方向の始点側に突出した一端部及び同終点側に突出した他端部を有する係止体と、
前記移動体に形成されて前記係止体の前記一端部が係止する係止部と、
前記係止体に設けられて前記前記係止体を前記一端部が前記係止部に係止する方向に回動付勢する係止付勢手段と、
を有することを特徴とする請求項２記載のスクリーン印刷装置。
【請求項４】
前記移動体の上端にはスキージングのための把持部が設けられており、前記係止体よりも上方にある前記可動レバーの上端には前記係止体を前記係止部に掛止させて前記スキージを前記スキージング位置に設定する固定操作を行うための操作部が設けられていることを特徴とする請求項３記載のスクリーン印刷装置。
【請求項５】
前記移動体の上端にはスキージングのための把持部が設けられており、前記可動レバーの上端は前記把持部よりも下方に位置しており、前記可動レバーには前記スキージよりも前記始点側に突出したストッパが設けられており、前記移動体を前記始点側に移動させると前記ストッパが前記印刷枠に当接し、反力によって前記可動レバーが揺動して前記係止体が前記係止部に掛止し、前記スキージが前記スキージング位置に設定されるように構成されたことを特徴とする請求項３記載のスクリーン印刷装置。
【請求項６】
前記移動体の上端にはスキージングのための把持部が設けられており、前記可動レバーの上端は前記把持部よりも下方に位置しており、前記印刷枠の前記始点側にはストッパが設けられており、前記移動体を前記始点側に移動させると前記スキージが前記ストッパに当接し、反力によって前記可動レバーが揺動して前記係止体が前記係止部に掛止し、前記スキージが前記スキージング位置に設定されるように構成されたことを特徴とする請求項３記載のスクリーン印刷装置。
【請求項７】
前記ガイド軸の前記終点側の両端部の間には固定ストッパが設けられており、前記移動体を前記終点側に移動させると前記係止体の他端部が前記固定ストッパに当接し、反力によって前記可動レバーが揺動して前記係止体が前記係止部から外れ、前記スキージが前記待機位置に設定されるように構成されたことを特徴とする請求項３乃至６記載のスクリーン印刷装置。
【請求項８】
前記可動レバーにはかき取り部材が取り付けられており、前記スキージが前記待機位置に設定された時に該かき取り部材が前記スクリーンに接するように構成されたことを特徴とする請求項７記載のスクリーン印刷装置。
【請求項９】
前記ガイド軸の少なくとも一方には、前記移動体を前記終点方向に移動させた際に前記係止体の他端部が当接して前記係止体が前記係止部から外れるようにするための中間ストッパが軸方向について位置調整可能に設けられていることを特徴とする請求項７記載のスクリーン印刷装置。
【請求項１０】
前記ガイド軸は、前記スキージング方向の始点側が前記印刷枠側に回動可能に取り付けられ、前記スキージング方向の終点側が連結部材で連結されることにより、前記印刷枠に近接した使用位置と前記印刷枠から離れた開放位置との間で前記印刷枠に対して前記始点側を中心として上下方向に揺動可能とされていることを特徴とする請求項１記載のスクリーン印刷装置。
【請求項１１】
前記ガイド軸を前記使用位置から前記開放位置に移動した際に、前記ガイド軸に沿って前記始点側に移動する前記移動体を支持するための前方ストッパが軸方向について位置調整可能に設けられていることを特徴とする請求項１０記載のスクリーン印刷装置。
【発明の詳細な説明】
【技術分野】
【０００１】
本発明は、スキージによって印刷を行うスクリーン印刷装置に係り、特にスキージの角度を最適に設定できるために初心者でも綺麗で均一なスクリーン印刷を行うことができるスクリーン印刷装置に関するものである。
【背景技術】
【０００２】
一般的なスクリーン印刷は、印刷枠に張設されたスクリーン版を製版し、スクリーン版の上面側にインクを載せるとともに下面側には被印刷物を配置し、スクリーン版の上面をスキージ部材によってスキージングして行うものであり、インクは版の開口部から被印刷物に移行して被印刷物に画像が印刷される。
【０００３】
このスクリーン印刷は手動によっても行われるが、下記特許文献１に例示するようにスキージを機械化したスクリーン印刷装置も様々な形式のものが提案されている。
【特許文献１】特開平７−１６４６１４号公報
【発明の開示】
【発明が解決しようとする課題】
【０００４】
スクリーン印刷において手作業でスキージングを行う場合、初心者にとってはスキージの角度、スキージング圧、スピードの加減がわからない為に綺麗で均一な印刷ができない場合が多い。特にスキージ角度は印刷品質に大きな影響を与える。上述した特許文献１に記載の発明のように、大がかりな印刷装置においてスキージ角度を調整可能としたものはあるが、これは簡易な手動式のスクリーン印刷装置においてスキージ角度を調整可能にする手段を提供するものではない。
【０００５】
そこで、本発明は上記課題に鑑みてなされたものであり、スクリーン印刷の品位に影響を与えるスキージ角度を一定に保持した手動による印刷を容易に行うことができるスクリーン印刷装置を提供することを目的とするものである。
【課題を解決するための手段】
【０００６】
請求項１に記載されたスクリーン印刷装置１は、開口部２ａにスクリーン３が張設された印刷枠２に取り付けられ、前記スクリーン３上のインク５０をスキージングして前記スクリーン３の下方に配置された被印刷体にスクリーン印刷を行うスクリーン印刷装置１において、
前記印刷枠２の枠辺に沿って配置されたガイド軸４と、
前記ガイド軸４に沿って前記スクリーン３の上方をスキージング方向に往復移動可能とされた移動体５と、
その下端縁が前記スキージング方向と実質的に直交するように前記スクリーン３の表面に接するスキージング位置と、その下端縁が前記スクリーン３の表面から離れる待機位置との間で揺動可能となるように、前記ガイド軸４と実質的に直交する支持軸６を介して前記移動体５に取り付けられ、前記スキージング位置に解除自在に固定可能なスキージ７と、
を有している。
【０００７】
請求項２に記載されたスクリーン印刷装置１は、請求項１記載のスクリーン印刷装置１において、前記スキージ７は、前記支持軸６を介して前記移動体５に揺動可能に取り付けられた可動レバー８に取り付けられており、該可動レバー８は前記移動体５との間に設けられた付勢手段（コイルばね９）によって前記スキージ７が前記待機位置に設定される方向に付勢されるとともに、該可動レバー８は前記スキージ７が前記スキージング位置に設定された状態で前記移動体５に係止手段１０で解除可能に固定されることを特徴としている。
【０００８】
請求項３に記載されたスクリーン印刷装置１は、請求項２記載のスクリーン印刷装置１において、
前記係止手段１０が、
前記可動レバー８に回動可能に取り付けられて前記スキージング方向の始点側に突出した一端部１１ａ及び同終点側に突出した他端部１１ｂを有する係止体（係止爪１１）と、
前記移動体５に形成されて前記係止体（係止爪１１）の前記一端部が係止する係止部（係止孔１２）と、
前記係止体（係止爪１１）に設けられて前記係止体（係止爪１１）を前記一端部が前記係止部（係止孔１２）に係止する方向に回動付勢する係止付勢手段（ねじりコイルばね１３）と、
を有することを特徴としている。
【０００９】
請求項４に記載されたスクリーン印刷装置１は、請求項３記載のスクリーン印刷装置１において、
前記移動体５の上端にはスキージングのための把持部１４が設けられており、前記係止体（係止爪１１）よりも上方にある前記可動レバー８の上端には前記係止体（係止爪１１）を前記係止部（係止孔１２）に係止させて前記スキージ７を前記スキージング位置に設定する固定操作を行うための操作部１５が設けられていることを特徴としている。
【００１０】
請求項５に記載されたスクリーン印刷装置１は、請求項３記載のスクリーン印刷装置１において、
前記移動体５の上端にはスキージングのための把持部１４が設けられており、前記可動レバー８の上端は前記把持部１４よりも下方に位置しており、前記可動レバー８には前記スキージ７よりも前記始点側に突出したストッパ１６が設けられており、前記移動体５を前記始点側に移動させると前記ストッパ１６が前記印刷枠２に当接し、反力によって前記可動レバー８が揺動して前記係止体（係止爪１１）が前記係止部（係止孔１２）に掛止し、前記スキージ７が前記スキージング位置に設定されるように構成されたことを特徴としている。
【００１１】
請求項６に記載されたスクリーン印刷装置１は、請求項３記載のスクリーン印刷装置１において、
前記移動体５の上端にはスキージングのための把持部１４が設けられており、前記可動レバー８の上端は前記把持部１４よりも下方に位置しており、前記印刷枠２の前記始点側にはストッパ１７が設けられており、前記移動体５を前記始点側に移動させると前記スキージ７が前記ストッパ１７に当接し、反力によって前記可動レバー８が揺動して前記係止体（係止爪１１）が前記係止部（係止孔１２）に係止し、前記スキージ７が前記スキージング位置に設定されるように構成されたことを特徴としている。
【００１２】
請求項７に記載されたスクリーン印刷装置１は、請求項３乃至６記載のスクリーン印刷装置１において、
前記ガイド軸４の前記終点側の両端部の間には固定ストッパ１８が設けられており、前記移動体５を前記終点側に移動させると前記係止体（係止爪１１）の他端部１１ｂが前記固定ストッパ１８に当接し、反力によって前記可動レバー８が揺動して前記係止体（係止爪１１）が前記係止部（係止孔１２）から外れ、前記スキージ７が前記待機位置に設定されるように構成されたことを特徴としている。
【００１３】
請求項８に記載されたスクリーン印刷装置１は、請求項７記載のスクリーン印刷装置１において、
前記可動レバー８にはかき取り部材１９が取り付けられており、前記スキージ７が前記待機位置に設定された時に該かき取り部材１９が前記スクリーン３に接するように構成されたことを特徴としている。
【００１４】
請求項９に記載されたスクリーン印刷装置１は、請求項７記載のスクリーン印刷装置１において、
前記ガイド軸４の少なくとも一方には、前記移動体５を前記終点方向に移動させた際に前記係止体（係止爪１１）の他端部１１ｂが当接して前記係止体（係止爪１１）が前記係止部（係止孔１２）から外れるようにするための中間ストッパ２０，２０が軸方向について位置調整可能に設けられていることを特徴としている。
【００１５】
請求項１０に記載されたスクリーン印刷装置１は、請求項１記載のスクリーン印刷装置１において、
前記ガイド軸４は、前記スキージング方向の始点側が前記印刷枠２側に回動可能に取り付けられ、前記スキージング方向の終点側が連結部材（固定ストッパ１８）で連結されることにより、前記印刷枠２に近接した使用位置と前記印刷枠２から離れた開放位置との間で前記印刷枠２に対して前記始点側を中心として上下方向に揺動可能とされていることを特徴としている。
【００１６】
請求項１１に記載されたスクリーン印刷装置１は、請求項１０記載のスクリーン印刷装置１において、
前記ガイド軸４を前記使用位置から前記開放位置に移動した際に、前記ガイド軸４に沿って前記始点側に移動する前記移動体５を支持するための前方ストッパ２１が軸方向について位置調整可能に設けられていることを特徴としている。
【００１７】
このように、本発明によれば、スクリーン印刷の印刷枠２の近傍に設置したガイド軸４に移動体５を往復移動可能に設け、スキージ７を取り付けた可動レバー８をこの移動体５に設け、そして可動レバー８と移動体５の間にはスキージ７を所定角度でスクリーン３に加圧接触させた状態（スキージング位置に設定した状態）にロックするための係止手段１０を設け、さらにこの係止手段１０がスキージングの終点において他部材（固定ストッパ１８）に接触して自動的に解除されるように構成してある。
【００１８】
従って、スキージ７をロックすれば、移動体５を操作するだけで所定のスキージ角度による均一なスキージングを行うことができ、印刷の品質が個人の技量に係わらず安定する。さらに、スキージングが終了すると同時に係止手段１０が解除されるので、スキージング終了後に直ちにスキージ７をスキージング開始位置に戻すことができる。スキージ７をスキージング開始位置に戻すことによってスキージ７を開始位置で再度自動的にロックする構成とすればさらに便利であり、スキージ７をガイド軸に沿って往復移動するだけの簡単な動作で安定した品質のスクリーン印刷を繰り返し行うことができる。
【発明の効果】
【００１９】
請求項１に記載されたスクリーン印刷装置１によれば、スキージ７をスキージング位置に設定すればスキージ７はスクリーン３に対して所定の角度に固定されるので、移動体５をガイド軸４に沿って移動させることにより均一な力で安定したスキージングができ、綺麗な印刷物が得られる。スキージングが完了したら、スキージ７の固定を解除することによりスキージ７がスクリーン３から離れて待機位置に設定されるので、スキージ７をスクリーン３に接触させることなくスキージング開始位置に戻すことができる。
【００２０】
請求項２に記載されたスクリーン印刷装置１によれば、請求項１記載のスクリーン印刷装置１による効果において、さらに可動レバー８が係止手段１０により移動体５に対して確実に係止するので、スキージ７をスキージング位置に安定して固定でき、また係止手段１０が解除されればスキージ７は付勢手段（コイルばね９）の力によってスクリーン３から離れて自動的に待機位置に設定されるので、所定角度でのスキージングが手動で簡単に行える。
【００２１】
請求項３に記載されたスクリーン印刷装置１によれば、請求項２記載のスクリーン印刷装置１の効果において、さらに係止手段１０による可動レバー８と移動体５の係止が係止体（係止爪１１）と係止部（係止孔１２）の係止によって行われるので、スキージ７の固定が確実であるという効果がある。
【００２２】
請求項４に記載されたスクリーン印刷装置１によれば、請求項３記載のスクリーン印刷装置１の効果において、さらにスキージングは移動体５の上端の把持部１４を持って行うことができ、またスキージ７をスキージング位置に設定する固定操作は可動レバー８の上端にある操作部１５により行うことができる。
【００２３】
請求項５に記載されたスクリーン印刷装置１によれば、請求項３記載のスクリーン印刷装置１の効果において、さらにスキージングは移動体５の上端の把持部１４を持って行うことができるが、その際、可動レバー８の上端が邪魔になることがなく操作がしやすい。またスキージング完了後にスキージ７を一旦待機位置に設定し、把持部１４を持って移動体５をスキージングの始点側に移動させると、可動レバー８のストッパ１６が印刷枠２に当接し、反力によって可動レバー８が揺動して係止体（係止爪１１）が係止部（係止孔１２）に係止し、自動的にスキージ７が再びスキージング位置に設定されるので、連続した印刷作業等において使い勝手がよい。すなわち、印刷時に移動体５に可動レバー８をロックする動作が不要であり、移動体５の往復操作だけで安定した印刷が可能である。
【００２４】
請求項６に記載されたスクリーン印刷装置１によれば、請求項３記載のスクリーン印刷装置１の効果において、さらにスキージングは移動体５の上端の把持部１４を持って行うことができるが、その際、可動レバー８の上端が邪魔になることがなく操作がしやすい。またスキージング完了後にスキージ７を一旦待機位置に設定し、把持部１４を持って移動体５をスキージ７の始点側に移動させると、スキージ７がストッパに当接し、反力によって可動レバー８が揺動して係止体（係止爪１１）が係止部（係止孔１２）に係止し、自動的にスキージ７が再びスキージング位置に設定されるので、連続した印刷作業等において使い勝手がよい。すなわち、印刷時に移動体５に可動レバー８をロックする動作が不要であり、移動体５の往復操作だけで安定した印刷が可能である。
【００２５】
請求項７に記載されたスクリーン印刷装置１によれば、請求項３乃至６記載のスクリーン印刷装置１の効果において、さらに把持部１４を把持して移動体５を終点側に移動させてスキージングを行うと、スキージングの終点において係止体（係止爪１１）の他端部１１ｂが固定ストッパ１８に当接し、反力によって可動レバー８が揺動して係止体（係止爪１１）が係止部（係止孔１２）から外れ、スキージ７が待機位置に設定される。このため、スキージング終了後、直ちに移動体５をスキージングの始点側に戻すことができ、連続した印刷作業等において使い勝手がよい。
【００２６】
請求項８に記載されたスクリーン印刷装置１によれば、請求項７記載のスクリーン印刷装置１の効果において、さらにスキージングが終了した際にスキージ７が待機位置に自動的に設定されると、同時にかき取り部材１９が前記スクリーン３に接するので、そのまま移動体５をスキージ７の始点側に向けて戻せば、スクリーン３上に残存したインク５０をかき取り部材１９で集めてスキージングの始点側に戻すことができ、このインク５０を次のスキージ７に供することができる。
【００２７】
請求項９に記載されたスクリーン印刷装置１によれば、請求項７記載のスクリーン印刷装置１の効果において、さらにガイド軸４の途中の適当な位置に中間ストッパ２０を設けておき、スキージング時に移動体５が終点方向に移動した際に係止体（係止爪１１）の他端部１１ｂがこの中間ストッパ２０に当接して係止体（係止爪１１）が係止部（係止孔１２）から外れるようにすれば、印刷枠２の開口部２ａ内の領域において始点側の一部のみを印刷領域とする場合、例えば開口部２ａ内に張設されたスクリーン３の始点側の一部のみを印刷に使用する場合や、開口部２ａ内の始点側の一部に開口部２ａよりも小さいスクリーン３を張設してこれを印刷に使用する場合等に対応することができ、中間ストッパ２０の位置は調整可能であるから印刷領域の面積の変更にも対応可能である。
【００２８】
請求項１０に記載されたスクリーン印刷装置１によれば、請求項１記載のスクリーン印刷装置１の効果において、さらにガイド軸４を、印刷枠２に対して始点側を中心として上方に揺動して開くことができるので、スクリーン３に対するインク５０の補充等の作業が容易である。
【００２９】
請求項１１に記載されたスクリーン印刷装置１によれば、請求項１０記載のスクリーン印刷装置１の効果において、さらにガイド軸４を印刷枠２に対して始点側を中心として上方に揺動して開くと、移動体５はその自重によってガイド軸４に沿って始点側に移動するが、前方ストッパ２１がその移動を阻止して適当な位置に保持するので、移動体５のスキージ７が印刷枠２の始点側に引っ掛かってガイド軸が開放できなくなるといった動作上の不都合が生じることはない。
【発明を実施するための最良の形態】
【００３０】
以下、本発明を実施するための最良の形態を図面を参照しながら具体的に説明する。
１．第１実施形態（第１の例）：図１〜図７参照
（１）装置の構成
図１は第１の例の構成を示す分解拡散斜視図、図２はスキージングの始点付近においてスキージ７が待機位置にある状態を示す断面図、図３はスキージングの始点付近においてスキージ７がスキージング位置にあるスキージング開始時の状態を示す断面図、図４はスキージ７の終点付近におけるスキージング終了時の状態を示す断面図、図５はスキージ７の終点付近においてスキージング終了時にスキージ７のロックが解除された状態を示す断面図、図６は移動体５等とともにガイド軸４を開放した状態を示す断面図、図７は中間ストッパ２０を使用した場合であってスキージ７の終点付近におけるスキージング終了時の状態を示す断面図である。
【００３１】
本例のスクリーン印刷装置１は、開口部２ａにスクリーン３が張設された印刷枠２に固定又は着脱可能に取り付けて使用するものである。
矩形の開口部２ａを区画する矩形の印刷枠２において、該開口部２ａの両側にある一対の枠長辺の上面に沿って、スキージ７を案内するための案内部材として一対のガイド軸４，４が互いに平行に配置されている。このガイド軸４に沿ったスキージング方向の始点側であるガイド軸４の一端部には保持具２５が固定され、該保持具２５は印刷枠２の始点側の外側隅部に固定された受け具２６に回動可能に軸支されている。保持具２５と受け具２６の軸である回動軸２７は平面内においてスキージング方向に対して直交しており、ガイド軸４はスクリーン３に垂直な平面内において上下に回動することができる。またスキージング方向の終点側である一対のガイド軸４，４の各他端部は、共通の連結部材である固定ストッパ１８によって結合されて一体化されており、一対のガイド軸４，４は一体となって印刷枠２に近接した使用位置と印刷枠２から離れた開放位置との間で開閉動作することができる。
【００３２】
前記一対のガイド軸４，４の間には、前記スクリーン３の上方をスキージング方向に往復移動可能となるように移動体５が設けられている。移動体５は、一対のガイド軸４，４に対してそれぞれ摺動可能に取り付けられた一対の摺動体２８，２８と、一対の摺動体２８，２８を連結する部材であるガイドレバー２９とを備えている。ガイドレバー２９は上方に立ち上がった操作片２９ａの上端中央がスキージングのために指で掴む把持部１４とされている。また把持部１４の両側である操作片２９ａの両端には、後述する係止部としての係止孔１２が係止手段１０の一部として形成されている。
【００３３】
前記移動体５の一対の摺動体２８，２８の各内面側には、可動レバー８の一対のアーム部が、ガイド軸４に直交する水平な支持軸６を介してそれぞれ取り付けられており、該可動レバー８は支持軸６を中心としてスクリーン３に垂直な面内で揺動可能とされている。
【００３４】
この可動レバー８の前面側には、ゴム製の矩形板であるスキージ７を保持した保持部３０が取り付けられており、このスキージ７の下端は可動レバー８の下端よりも下方に突出している。従って、可動レバー８と共にスキージ７が下方に向けて揺動すれば、スキージ７の下端縁は前記スキージング方向と実質的に直交する態様でスクリーン３に接触するが、上方に揺動すればスクリーン３から離れることができる。
【００３５】
ここで、前記可動レバー８と前記ガイドレバー２９は付勢手段としてのコイルばね９によって連結されており、スキージ７は上方に向けて付勢されている。従って、スキージ７は、図２に示すように外力が加わらない状態においてはコイルばね９の付勢力によって下端縁がスクリーン３の表面から離れる待機位置に設定されるが、図３に示すようにコイルばね９の付勢力に抗する外力が加えられれば、その下端縁がスクリーン３の表面に接するスキージング位置に設定されることとなる。なお、このスキージング位置において、スキージ７はスクリーン３と一定の角度で接触することができるが、この角度はスクリーン３やインク５０の種類等、種々の印刷条件に応じてスキージングが最も良好に行われるように設定すればよい。
【００３６】
なお、スキージ７が前面に取り付けられた可動レバー８の後面側には、スクリーン３上のインク５０を掻き集めるための板状部材であるかき取り部材１９が取り付けられており、図２に示すようにスキージ７が待機位置に設定された時に該かき取り部材１９はスクリーン３に接し、図３に示すようにスキージ７がスキージング位置に設定された時に該かき取り部材１９はスクリーン３から離れるように構成されている。
【００３７】
前記スキージ７を必要に応じてスキージング位置に固定するために、スキージ７をスキージング位置に設定した状態で可動レバー８をガイドレバー２９にロックする解除自在な係止手段１０が設けられている。
この係止手段１０は、上記ロック作用を実現する可動式の係止体として、可動レバー８の両端に軸を以て回動可能に取り付けられた一対の係止爪１１を有している。この係止爪１１は、軸３１によって支持され、中央部で「く」の字状に屈曲した形状をなしており、その一端部１１ａである鉤状の係止部が形成された他端部がスキージング方向の始点側（可動レバー８の前面側）に突出しており、その他端部１１ｂである下端部が同終点側（可動レバー８の後面側）に向けられている。そして、前述したように前記ガイドレバー２９には前記係止爪１１の一端部１１ａが係止する矩形の係止孔１２が係止手段１０の一部である係止部として形成されており、さらに係止手段１０の一部として、係止爪１１の軸３１には一端部１１ａが係止孔１２に係止する方向に係止爪１１を回動付勢する係止付勢手段としてのねじりコイルばね１３が設けられている。
【００３８】
前記可動レバー８の上端は係止爪１１よりも上方にあるが、この上端は係止爪１１を係止孔１２に掛止させてスキージ７をスキージング位置に設定する固定操作を行うための操作部１５とされている。すなわち、図２から図３に示すように、可動レバー８の操作部１５を図示しない指でガイドレバー２９に向けて押すことにより、係止爪１１の一端部１１ａの係止部がねじりコイルばね１３の付勢力に抗して係止孔１２の縁を乗り越えて係止孔１２に係止し、可動レバー８の位置が固定されてスキージ７がスキージング位置に設定される。
【００３９】
なお、図３に示すように、スキージ７をスキージング位置に設定した際、係止爪１１の他端部１１ｂはガイド軸４と略同一の高さに位置しており、この状態でスキージングを行って移動体５がスキージング位置の終端にまで来ると、図４に示すように係止爪１１の他端部１１ｂは前記固定ストッパ１８に当接することとなり、さらにスキージング方向に移動させれば図５に示すように係止爪１１が押されて揺動することにより係止爪１１と係止孔１２との係止が解除され、コイルばね９の付勢力によって可動レバー８及びスキージ７は待機位置に戻ることとなる。
【００４０】
次に、図１及び図６に示すように、スキージング方向の始点側であるガイド軸４の回動中心側には、ガイド軸４を外挿して摺動可能な管状の前方ストッパ２１が設けられている。この前方ストッパ２１には固定手段としての固定ねじ２１ａが設けられており、前方ストッパ２１をガイド軸４に沿って移動させて固定ねじ２１ａで固定すれば、前方ストッパ２１をガイド軸４の適当な位置に固定することができる。
【００４１】
このようにしてガイド軸４の一端部よりも他端部寄りに前方ストッパ２１を設定すれば、一対のガイド軸４，４を印刷枠２上の使用位置から開放位置に移動した際に、ガイド軸４の一端部側に移動する移動体５を一端部に至る手前の位置で支持することができるので、移動体５のスキージ７が印刷枠２の始点側に引っ掛かってガイド軸４が開放できなくなるといった動作上の不都合が生じることはない。
【００４２】
次に、図１及び図７に示すように、スキージング方向の終点側であるガイド軸４の他端部側には、ガイド軸４を外挿して摺動可能な管状の中間ストッパ２０が設けられている。この中間ストッパ２０には固定手段としての固定ねじ２０ａが設けられており、中間ストッパ２０をガイド軸４に沿って移動させて固定ねじ２０ａで固定すれば、中間ストッパ２０をガイド軸４の適当な位置に固定することができる。
【００４３】
このようにしてガイド軸４の他端部よりも一端部よりに中間ストッパ２０を設定すれば、移動体５の往復移動範囲をガイド軸４の全長よりも短い範囲に設定することができ、印刷枠２の開口部２ａ内の領域において始点側の一部のみを印刷領域とする場合（スキージング方向の印面が小さい場合）、例えば開口部２ａ内に張設されたスクリーン３の始点側の一部のみを印刷に使用する場合や、開口部２ａ内の始点側の一部に開口部２ａよりも小さいスクリーン３を張設して印刷に使用する場合等に対応することができる。なお、中間ストッパ２０を用いた場合には、スキージング時に移動体５が終点方向に移動した際に、係止爪１１は他端部１１ｂがこの中間ストッパ２０に当接することにより係止孔１２から外れる。
【００４４】
（２）装置の作用・効果
次に、以上の構成における印刷動作等について説明する。
図２に示すように、スキージ７を有する移動体５をスキージングの始点側に設定する。この状態ではスキージ７は待機位置にあり、スキージ７はスクリーン３から離れた状態にある。かき取り部材１９はスクリーン３にやや圧力を加えた状態で接触している。
【００４５】
図２に矢印で示すように、可動レバー８をガイドレバー２９側に押し上げると、図３に示すように係止爪１１がガイドレバー２９の係止孔１２に引っ掛かり、スキージ７は所定の角度をもって固定される。この状態において、スキージ７の先端はスクリーン３に印刷可能な圧力で接している。かき取り部材１９はスクリーン３から離れている。
【００４６】
図３に矢印で示すように、手で把持部１４を掴んでスキージングの終点に向けてガイドレバー２９を引けば、スキージ７はスクリーン３に対して所定の角度を保持したままでスクリーン３に所定の圧力を加えながら移動するので、スキージ７の先端にあるインク５０を所定の条件でスクリーン３の開口部２ａから下方に押し出すことができ、スクリーン３の下方にある図示しない被印刷体に均一な印刷を施すことができる。
【００４７】
図４に示すように、スキージングの終点までスキージ７を移動させてこの回の印刷を終了すると、係止爪１１の他端部１１ｂ（下端部）が固定ストッパ１８に当たり、図５に示すように、さらにスキージ７を同方向に移動すると係止爪１１が押されて反力を受け、ガイドレバー２９の係止孔１２から外れてスキージ７がコイルばね９の付勢力によってスクリーン３から浮き上がって離れ、待機位置に設定される。同時にかき取り部材１９はスクリーン３にやや圧力を加えた状態で接触する。
【００４８】
この状態から移動体５をスキージングと逆向きにスキージングの始点に向けて移動させると、かき取り部材１９がスクリーン３上の余分なインク５０を始点に向けて押し返していく。
【００４９】
以上の動作によってスキージ７は前述した図２に示す状態に戻るので、被印刷体を替えて次の印刷動作を行う。繰り返し印刷を行っても、スクリーン３に対するスキージ７の角度は常に一定なので均一な印刷が行える。但し、スキージ７の移動スピードや被印刷体等の条件によって印刷状態が変化することはありうる。
【００５０】
インク５０の補充、スキージ７の清掃等の作業を行う場合は、スクリーン３からスキージ７をある程度離す必要があるが、その場合には図６に示すように保持具２５及び受け具２６の軸２７を支点としてガイド軸４を上方に回動させてスキージ７をスクリーン３から開放すれば、上記作業が行い易くなる。
【００５１】
上記作業のためにガイド軸４を上方に回動する場合には、スキージ７が印刷枠２に当たってスキージ７をスクリーン３から開放できない場合がありうる。しかし、本例では、ガイド軸４の一端部よりも他端部よりに前方ストッパ２１を設定しておけば、スキージ７をガイド軸４の一端部に至る手前の位置で支持することができるので、スキージ７が印刷枠２の始点側に引っ掛かってガイド軸４が開放できなくなるといった動作上の不都合が生じることはない。
【００５２】
スキージング方向の印面が小さく、印刷枠２の開口の始点側の一部しか印刷に使用しない場合は、図７に示すように、該印面の範囲に合せてガイド軸４の要所に中間ストッパ２０を設定しておけば、移動体５の往復移動範囲をガイド軸４の全長よりも短い範囲に設定して前記印面に合わせることができ、スキージング時に移動体５が終点方向に移動した際には係止爪１１はこの中間ストッパ２０に当接することにより係止孔１２から外れてスキージ７のロックが外れる。
【００５３】
２．第２実施形態（第２の例）：図８〜図１０参照
図８はスキージ７の始点付近においてスキージ７が待機位置にある状態を示す断面図、図９はスキージ７の始点付近においてスキージ７がスキージング位置にあるスキージング開始時の状態を示す断面図、図１０はスキージ７の終点付近においてスキージング終了時にスキージ７のロックが解除された状態を示す断面図である。
【００５４】
図８に示すように、本例の可動レバー８ａは第１の例よりも高さがやや低く、可動レバー８ａの上端はガイドレバー２９の把持部１４よりも下方に位置しており、把持部１４を掴んで行うスキージングがより行い易くなっている。また、可動レバー８ａの下端にはスキージ７の先端よりも始点側に突出したストッパ１６（回動可能な円筒状のころ）が設けられている。なお、このストッパ１６は洗浄時等には取外し可能である。その他の構成は第１の例と同様である。
【００５５】
本例によれば、図９に示すように、待機状態にあるスキージ７を始点側に移動させると前記ストッパ１６が印刷枠２の内周面に当接し、さらにスキージ７を同方向に押し込むと、ストッパ１６が印刷枠２から受ける反力によって可動レバー８ａが揺動して係止爪１１が係止孔１２に掛止し、スキージ７がスキージング位置に設定される。すなわち、スキージ７を始点に戻してからスキージング位置にロックする動作を別途行わなくても、印刷終了後にスキージ７を終点から始点に戻す動作の継続によりワンタッチでスキージ７を待機状態からスキージング位置にロックすることができ、操作がいっそう簡易になり、使い勝手が向上する。
【００５６】
図１０に示すように、本例においても、第１の例と同様に、スキージングの最後に係止爪１１が固定ストッパ１８に当たって係止孔１２から外れ、スキージ７のロックが解除される。
【００５７】
３．第３実施形態（第３の例）：図１１、図１２参照
図１１はスキージ７の始点付近においてスキージ７が待機位置にある状態を示す断面図、図１２はスキージ７の始点付近においてスキージ７がスキージング位置にあるスキージング開始時の状態を示す断面図である。
【００５８】
図１１に示すように、本例の可動レバー８ａは第１の例よりも高さがやや低く、可動レバー８ａの上端はガイドレバー２９の把持部１４よりも下方に位置しており、把持部１４を掴んで行うスキージングがより行い易くなっている。また、印刷枠２の始点側の内面にはストッパ１７（回動可能な円筒状のころ）が設けられている。なお、このストッパ１７は洗浄時等には取外し可能である。その他の構成は第１の例と同様である。
【００５９】
本例によれば、図１２に示すように、待機状態にあるスキージ７を始点側に移動させると該スキージ７が前記ストッパ１７に当接し、さらにスキージ７を同方向に押し込むと、スキージ７がストッパ１７から受ける反力によって可動レバー８ａが揺動して係止爪１１が係止孔１２に掛止し、スキージ７がスキージング位置に設定される。すなわち、スキージ７を始点に戻してからスキージング位置にロックする動作を別途行わなくても、印刷終了後にスキージ７を終点から始点に戻す動作の継続によりワンタッチでスキージ７を待機状態からスキージング位置にロックすることができ、操作がいっそう簡易になり、使い勝手が向上する。
【００６０】
以上説明したように、本発明の実施形態によれば、スクリーン印刷の印刷枠２の近傍に設置したガイド軸４にガイドレバー２９を往復移動可能に設け、スキージ７を取り付けた可動レバー８をこのガイドレバー２９に設け、そして可動レバー８とガイドレバー２９の間にはスキージ７を所定角度でスクリーン３に加圧接触させた状態（スキージング位置に設定した状態）に固定するためのロック機構（係止手段１０）を設け、さらにこのロック機構（係止手段１０）がスキージングの終点において他部材（例えば固定ストッパ１８）に接触して自動的に解除されるように構成してある。
【００６１】
従って、スキージ７をロックすれば、ガイドレバー２９を操作するだけで所定のスキージ角度をもって均一なスキージングを行うことができ、印刷の品質が個人の技量に係わらず安定する。さらに、スキージ動作によってロック機構（係止手段１０）が解除されると同時にスキージ７が終了するので、スキージング終了後に直ちにスキージ７をスキージング開始位置に戻すことができる。なお、第２及び第３の例のように、スキージ７をスキージング開始位置に戻すことによってスキージ７を開始位置で再度自動的にロックする構成とすればさらに便利であり、スキージ７をガイド軸４に沿って往復移動するだけの簡単な動作で安定した品質のスクリーン印刷を繰り返し行うことができる。
【図面の簡単な説明】
【００６２】
【図１】図１は第１の例の構成を示す分解拡散斜視図である。
【図２】図２はスキージ７の始点付近においてスキージ７が待機位置にある状態を示す断面図である。
【図３】図３はスキージ７の始点付近においてスキージ７がスキージング位置にあるスキージング開始時の状態を示す断面図である。
【図４】図４はスキージ７の終点付近におけるスキージング終了時の状態を示す断面図である。
【図５】図５はスキージ７の終点付近においてスキージング終了時にスキージ７のロックが解除された状態を示す断面図である。
【図６】図６は移動体５等とともにガイド軸を開放した状態を示す断面図である。
【図７】図７は中間ストッパ２０を使用した場合であってスキージ７の終点付近におけるスキージング終了時の状態を示す断面図である。
【図８】図８はスキージ７の始点付近においてスキージ７が待機位置にある状態を示す断面図である。
【図９】図９はスキージ７の始点付近においてスキージ７がスキージング位置にあるスキージング開始時の状態を示す断面図である。
【図１０】図１０はスキージ７の終点付近においてスキージング終了時にスキージ７のロックが解除された状態を示す断面図である。
【図１１】図１１はスキージ７の始点付近においてスキージ７が待機位置にある状態を示す断面図である。
【図１２】図１２はスキージ７の始点付近においてスキージ７がスキージング位置にあるスキージング開始時の状態を示す断面図である。
【符号の説明】
【００６３】
１  スクリーン印刷装置
２  印刷枠
２ａ  開口部
３  スクリーン
４  ガイド軸
５  移動体
６  支持軸
７  スキージ
８  可動レバー
９  付勢手段としてのコイルばね
１０  係止手段
１１  係止体としての係止爪
１１ａ  係止爪の一端部
１１ｂ  係止爪の他端部
１２  係止部としての係止孔
１３  係止付勢手段としてのねじりコイルばね
１４  把持部
１５  操作部
１６  可動レバーに設けられたストッパ
１７  印刷枠に設けられたストッパ
１８  連結部材としての固定ストッパ
１９  かき取り部材
２０  中間ストッパ
２１  前方ストッパ
【図１】
2006069011.tif 000003
【図２】
2006069011.tif 000004
【図３】
2006069011.tif 000005
【図４】
2006069011.tif 000006
【図５】
2006069011.tif 000007
【図６】
2006069011.tif 000008
【図７】
2006069011.tif 000009
【図８】
2006069011.tif 000010
【図９】
2006069011.tif 000011
【図１０】
2006069011.tif 000012
【図１１】
2006069011.tif 000013
【図１２】
2006069011.tif 000014